(57)【特許請求の範囲】
【請求項１】
少なくとも、圧縮機および室外熱交換器を有する室外機と、
送風機、前記送風機からの空気と前記室外機からの冷媒との間で熱交換する室内熱交換器、前記室内熱交換器により熱交換された空気を加湿する加湿器、および前記加湿器が設けられ、当該加湿器を含む前記室内熱交換器側の空間を第１空間とし、前記加湿器により加湿された空気の流出側の空間を第２空間として分離する隔壁板を有する室内機と
を備えた空気調和機において、
前記隔壁板に設けられ、前記第１空間と前記第２空間とを連通する空気流出穴と、
前記第２空間側から前記空気流出穴を開閉自在に閉塞する開閉扉を有し、前記第１空間の空気圧が前記第２空間の空気圧よりも高くなることにより前記開閉扉が前記空気流出穴を開放した際に、前記加湿器の目詰まりを検知して報知する目詰まり検知装置と
を有し、
前記隔壁板は、前記送風機からの空気流に直交するように設置された第１隔壁板と、前記第１隔壁板の先端から前記第１空間側に水平に延びる第２隔壁板と、前記第２隔壁板の先端から上方に垂直に延びる第３隔壁板とで構成され、前記第２隔壁板に前記第１空間と前記第２空間とを連通する前記空気流出穴が設けられ、
前記目詰まり検知装置は、
前記開閉扉と、
前記空気流出穴を閉塞している前記開閉扉を介して形成される閉回路を有し、前記開閉扉の前記空気流出穴の開放により前記閉回路が遮断されたときに、前記加湿器の目詰まりを検知して報知する閉回路監視部と
を備えた空気調和機。
【請求項２】
前記閉回路監視部は、前記加湿器の目詰まりを検知したときに時間のカウントを開始し、カウントした時間が一定時間を経過するまでに前記閉回路の遮断状態が継続されたときには、前記加湿器の目詰まりを報知する請求項１記載の空気調和機。
【発明の詳細な説明】
【技術分野】
【０００１】  本発明は、室内機における加湿器の目詰まりを検知する目詰まり検知装置を備えた空気調和機に関するものである。
【背景技術】
【０００２】  従来の空気調和機に搭載される気化式加湿器は、給水に含まれる不純物の蓄積などにより、経年的に劣化し、加湿器が目詰まりするまでの期間は、水質、加湿器の使用環境、運転時間などにより大きな差がある。加湿器の目詰まりの有無は、主に、定期点検時に目視で確認して判断したり、予め設置された圧力計によって加湿器の運転前後の差圧を測定して判断している。  これ以外の技術として、送風機のモーターの回転数を検知し、検知した回転数の変化から加湿器の目詰まりを判断するものがある（例えば、特許文献１参照）。  また、上昇水流の中に漂わせたフロートの浮揚高さを確認して、フィルタの目詰まり状態を判断するものがある（例えば、特許文献２参照）。
【先行技術文献】
【特許文献】
【０００３】
【特許文献１】特開２００１−１４９７２８号公報
【特許文献２】実用新案登録第３０２８０４８号公報
【発明の概要】
【発明が解決しようとする課題】
【０００４】  従来の空気調和装置に内蔵される気化式加湿器について、加湿器が目詰まりをして室内機内の圧力が高くなると、風漏れにより結露、露飛びなどの原因となるので、なるべく早期に検知する必要がある。しかし、目視による確認の場合、加湿機内部の目詰まりを発見することが難しい。また、エアーフィルターのように一定時間の経過によって表示する形式では、加湿器のような現地の水質、運転状態などにより目詰まりまでの期間が大きく異なる機器では精度が低い。  加湿器の運転前後の差圧による目詰まり測定は精度が高いが、圧力検知素子、マイクロコンピュータ、目詰まり検知に関わるソフト、電源などが必要となり、導入コストが高くなるという課題があった。【０００５】  本発明は、前記のような課題を解決するためになされたもので、加湿器の目詰まりを精度よく簡易な装置で検知すると共に、加湿器の目詰まりによる室内機からの風漏れを抑えることができる空気調和機を得ることを目的とする。
【課題を解決するための手段】
【０００６】
本発明に係る空気調和機は、少なくとも、圧縮機および室外熱交換器を有する室外機と、送風機、送風機からの空気と室外機からの冷媒との間で熱交換する室内熱交換器、室内熱交換器により熱交換された空気を加湿する加湿器、および加湿器が設けられ、加湿器を含む室内熱交換器側の空間を第１空間とし、加湿器により加湿された空気の流出側の空間を第２空間として分離する隔壁板を有する室内機とを備えた空気調和機において、隔壁板に設けられ、第１空間と第２空間とを連通する空気流出穴と、第２空間側から空気流出穴を開閉自在に閉塞する開閉扉を有し、第１空間の空気圧が第２空間の空気圧よりも高くなることにより開閉扉が空気流出穴を開放した際に、加湿器の目詰まりを検知して報知する目詰まり検知装置とを有し、隔壁板は、送風機からの空気流に直交するように設置された第１隔壁板と、第１隔壁板の先端から第１空間側に水平に延びる第２隔壁板と、第２隔壁板の先端から上方に垂直に延びる第３隔壁板とで構成され、第２隔壁板に第１空間と第２空間とを連通する空気流出穴が設けられ、目詰まり検知装置は、開閉扉と、空気流出穴を閉塞している開閉扉を介して形成される閉回路を有し、開閉扉の空気流出穴の開放により閉回路が遮断されたときに、加湿器の目詰まりを検知して報知する閉回路監視部とを備えている。
【発明の効果】
【０００７】  本発明よれば、第１空間の空気圧が第２空間の空気圧よりも高くなることにより開閉扉が空気流出穴を開放した際に、加湿器の目詰まりを検知して報知するようにしているので、加湿器の目詰まりを即時に知ることができる。また、開閉扉により空気流出穴が開放された際に、空気圧の高い第１空間側の空気を第２空間側に流入させることができるので、室内機の内圧の上昇を緩和することができる。このため、室内機の外観を構成する筐体の隙間から風漏れを抑えることができる。更に、これによって風漏れによる結露の発生も防止することができる。
【図面の簡単な説明】
【０００８】
【図１】本発明の実施の形態１に係る空気調和機の室内機の概略構成を示す平面図である。
【図２】図１の室内機の内部を側面から見て示す模式図である。
【図３】図２の目詰まり検知装置を拡大して示す模式図である。
【図４】図３に示す目詰まり検知装置の開閉扉が開いた状態の模式図である。
【図５】本発明の実施の形態２に係る空気調和機の室内機の内部を側面から見て示す模式図である。
【図６】図５の目詰まり検知装置を拡大して示す模式図である。
【図７】図６に示す目詰まり検知装置の開閉扉が開いた状態の模式図である。
【発明を実施するための形態】
【０００９】実施の形態１．  図１は本発明の実施の形態１に係る空気調和機の室内機の概略構成を示す平面図、図２は図１の室内機の内部を側面から見て示す模式図である。  本実施の形態１に係る空気調和機２００は、図２に示すように、室外機１０と、室外機１０にガス管３１および液管３２を介して接続された室内機２０とで構成されている。室外機１０は、圧縮機、冷媒の流路を切り替える四方弁、室外熱交換器、室外熱交換器に空気を供給する送風機などを備えている。室内機２０は、例えば、建物の天井裏に設置されている。この室内機２０は、吸気口および吹出口とはそれぞれダクトを介して連結される構成となっている。
【００１０】  圧縮機は、例えば、容量の制御可能なインバータ圧縮機で構成され、低温低圧のガス冷媒を吸入しそのガス冷媒を圧縮して高温高圧のガス冷媒を吐出する。四方弁は、暖房運転時における冷媒の流れと冷房運転時における冷媒の流れとを切り替える。室外熱交換器は、暖房運転時には蒸発器として機能し、冷房運転時には凝縮器として機能し、送風機からの空気と冷媒との間で熱交換を行なう。
【００１１】  室内機２０は、図１及び図２に示すように、室内熱交換器３０、送風機４０、加湿器５０、室内熱交換器３０と加湿器５０との下に設置されたドレンパン６０、加湿器５０の加湿モジュール５１の目詰まりを検知して報知する目詰まり検知装置７０などを備えている。
【００１２】  室内熱交換器３０には、前述したガス管３１及び液管３２が接続されており、暖房運転時に凝縮器として、冷房運転時には蒸発器として機能し、送風機４０からの空気と冷媒との間で熱交換を行なう。液管３２には、冷媒を減圧して膨張させる膨張弁３３が設けられている。この膨張弁３３は、例えば、弁の開度が制御可能な電子式膨張弁により構成されている。送風機４０は、モーター４１と、ファンケーシング４２と、ファンケーシング４２に回転自在に収納されたファンとで構成されている。このファンは、モーター４１の回転軸と接続されている。送風機４０は、壁板４３によって室内熱交換器３０側と区分けされた空間に設置されている。
【００１３】  加湿器５０は、水の気化蒸発部である加湿モジュール（加湿材）５１、この加湿モジュール５１に上部から滴下給水して浸透させる散水ヘッド５２、電磁弁５３などを備えている。この電磁弁５３には、給水管５４が接続されている。加湿器５０は、室内熱交換器３０を介して流入する空気が加湿モジュール５１を通過することにより、加湿モジュール５１に浸透した水分が気化蒸発し、空気を加湿する。
【００１４】  ドレンパン６０は、加湿モジュール５１で気化されなかった水、室内熱交換器３０に発生する結露の水を貯留する容器で、加湿器５０および室内熱交換器３０の下に設置されている。このドレンパン６０は、貯留した水を室内機２０の外へ排水する排水口６１を備えている。この排水口６１には、排水管が接続される。
【００１５】  前述の室内機２０には、室内機２０内の空間のうち、送風機４０側の空間を除く室内熱交換器３０側の空間を第１空間Ａとし、加湿器５０により加湿された空気の流出側の空間を第２空間Ｂとして分離する例えば板金製の隔壁板８０が設けられている。なお、第１空間Ａには、加湿器５０も設けられている。
【００１６】  この隔壁板８０は、ドレンパン６０に設置されている。隔壁板８０には、加湿器５０の背面の位置に加湿器５０により加湿された空気を通過させる開口部８１が設けられている。また、隔壁板８０には、第１空間Ａ内の空気を第２空間Ｂ内に流出させる空気流出穴８２と、この空気流出穴８２を開閉自在に閉塞する目詰まり検知装置７０の開閉扉７１が設けられている。なお、目詰まり検知装置７０については後述する。また、室内機２０には、リモートコントローラ１００と接続された制御基板９０が設けられている。
【００１７】  制御基板９０は、例えばマイクロコンピュータ９０ａ（図３および図４参照）が実装されている。マイクロコンピュータ９０ａは、リモートコントローラ１００の運転キーの操作に基づいて、暖房運転あるいは冷房運転を室外機１０に指示し、風量キーの設定に応じて送風機４０のモーター４１の回転数を制御する。さらに、マイクロコンピュータ９０ａは、暖房運転時に電磁弁５３を開状態にして加湿器５０の加湿モジュール５１に水を供給し、目詰まり検知装置７０により加湿モジュール５１の目詰まりが検知されたときには電磁弁５３を閉じて加湿モジュール５１への給水を遮断する。
【００１８】  前述のように構成された室内機２０では、送風機２によって送られた空気を室内熱交換器３０で冷却または温め、室内を空調する。暖房時の冷媒の流れとしては、室外機１０の圧縮機により圧縮された高温高圧のガス冷媒が四方弁を介してガス管３１を通り室内熱交換器３０に流入する。室内熱交換器３０に流入した高温高圧のガス冷媒は、送風機４０から供給される空気との熱交換により放熱されて凝縮し、低温高圧の液冷媒となって室内熱交換器３０から流出する。室内熱交換器３０から流出した低温高圧の液冷媒は、膨張弁３３によって膨張、減圧され、低温低圧の気液二相冷媒となり、液管３２を通って室外機１０へ戻る。
【００１９】  一方、室内熱交換器３０で温められた空気は、図１に示す矢印（破線）のように、加湿器５０および隔壁板８０の開口部８１を通過して室内機２０の外へ送り出され、室内を暖房する。空気が加湿器５０を通過する際、その空気によって加湿モジュール５１に浸透した水分が気化蒸発し、空気が加湿される。
【００２０】  次に、目詰まり検知装置７０の構成について、図３及び図４を用いて説明する。  図３は図２の目詰まり検知装置を拡大して示す模式図、図４は図３の目詰まり検知装置の開閉扉が開いた状態を示す模式図である。  本実施の形態１における目詰まり検知装置７０は、前述したように、隔壁板８０の空気流出穴８２を開閉自在に閉塞する開閉扉７１と、開閉扉７１の一端部に設けられた磁石７２と、隔壁板８０に設置されたリードスイッチ７３とで構成されている。なお、リードスイッチ７３に代えて、ホールＩＣを用いてもよい。
【００２１】  開閉扉７１は、隔壁板８０の第２空間Ｂ側の面に設置されている。開閉扉７１の他端部は、隔壁板８０の空気流出穴８２よりも下側の位置に設けられたヒンジ部７１ａにより回動自在に支持されている。この開閉扉７１は、一端部に設けられた磁石７２の磁力により、隔壁板８０の空気流出穴８２よりも上側の位置に接合して、空気流出穴８２を塞いでいる。
【００２２】  リードスイッチ７３は、図４に示すように、開閉扉７１が空気流出穴８２を開けた際、即ち、開閉扉７１がヒンジ部７１ａを軸として下方に回転した際に、開閉扉７１の磁石７２と接触する位置に設けられている。このリードスイッチ７３は、磁石７２の磁力によりＯＮし、加湿モジュール５１の目詰まりの検知を報知する信号をマイクロコンピュータ９０ａに入力する。この信号は、マイクロコンピュータ９０ａによってリモートコントローラ１００に出力される。なお、前記の信号をマイクロコンピュータ９０ａに入力するようにしたが、その信号を制御基板９０を介して直接リモートコントローラ１００に入力するようにしてもよい。
【００２３】  前記のように構成された目詰まり検知装置７０の動作について説明する。  送風機４０から送られた空気は、室内熱交換器３０を通過し、さらに加湿器５０を通過して室内に送られる。暖房運転の場合は、前述したように、空気が加湿器５０を通過する際、その空気によって加湿モジュール５１に浸透した水分が気化蒸発し、空気が加湿される。送風機４０からの空気が加湿器５０を通過している間は、開閉扉７１は磁石７２の磁力により隔壁板８０に接合して空気流出穴８２を塞いでいる。
【００２４】  一方、加湿モジュール５１は、室内機２０の運転経過に伴って空気中の塵埃、水に含まれるスケール成分（カルシウム、マグネシウムなど）が付着して徐々に汚れる。そして、加湿モジュール５１の経年劣化により、加湿モジュール５１が目詰まりとなった場合には、加湿モジュール５１の圧力損失Ｐｈ（Ｐａ）が増加する。圧力損失Ｐｈ（Ｐａ）の増加に伴って加湿モジュール５１を通過する空気の流量が低下していくと、室内機２０内の第１空間Ａの空気圧が第２空間Ｂの空気圧よりも高くなる。
【００２５】  室内機２０内の第１空間Ａの空気圧をＰ１（Ｐａ）とし、室内機２０内の第２空間Ｂの空気圧をＰ２（Ｐａ）とすると、Ｐ１＝Ｐ２−Ｐｈの関係となる。このため、目詰まり量が大きく（Ｐｈが大きく）なるほど第１空間Ａの空気圧Ｐ１は大きくなり、第１空間Ａと第２空間Ｂとの空気の差圧ΔＰ１２（＝Ｐ１−Ｐ２）が大きくなる。その差圧ΔＰ１２による第１空間Ａ側の空気圧の開閉扉７１を押す力が、開閉扉７１を隔壁板８０に接合している磁石７２の磁力よりも大きくなると、開閉扉７１は、ヒンジ部７１ａを支点として第２空間Ｂ側に開いて空気流出穴８２を開放し、一端部に設けられた磁石７２がリードスイッチ７３に接触する。
【００２６】  この時、開放された空気流出穴８２により第１空間Ａと第２空間Ｂとが連通し、空気圧の高い第１空間Ａ側の空気が第２空間Ｂ側へ流入する。一方、リードスイッチ７３は、その磁石７２の磁力により励磁されてＯＮし、加湿モジュール５１の目詰まりの検知を報知する信号を制御基板９０のマイクロコンピュータ９０ａに入力する。マイクロコンピュータ９０ａは、入力された信号をリモートコントローラ１００に送信する。リモートコントローラ１００は、その信号が入力されたときに、音声あるいはブザーにて報知すると共に、表示部１００ａに加湿モジュール５１の目詰まりを表示する。
【００２７】  以上のように本実施の形態１によれば、加湿モジュール５１の目詰まりにより、第１空間Ａ側の空気圧が第２空間Ｂ側の空気圧よりも高くなって、第１空間Ａ側の空気圧が、開閉扉７１を隔壁板８０に接合させている磁石７２の磁力よりも大きくなると、開閉扉７１が開放する。そして、開閉扉７１が開いた際には、リードスイッチ７３が磁石７２の磁力により励磁されてＯＮし、加湿モジュール５１の目詰まりの検知を報知するようにしている。この構成により、加湿モジュール５１の目詰まりを即時に知ることができる。また、前述のように構成が簡単であるため、目詰まり検知装置の導入コストを抑えることができる。
【００２８】  また、開閉扉７１が空気流出穴８２を開放した際に、空気圧の高い第１空間Ａ側の空気が第２空間Ｂ側へ流入するので、室内機２０の第１空間Ａ側の空気圧の上昇を緩和することができる。このため、室内機２０の外観を形成する筐体からの風漏れを抑えることができ、これによって風漏れによる結露の発生を防止することができる。
【００２９】実施の形態２．  図５は本発明の実施の形態２に係る空気調和機の室内機の内部を側面から見て示す模式図である。図６は図５の目詰まり検知装置を拡大して示す模式図、図７は図６に示す目詰まり検知装置の開閉扉が開いた状態の模式図である。なお、本実施の形態２では、実施の形態１と同様あるいは相当の部分には同じ符号を付し、実施の形態１と異なる部分だけを説明する。
【００３０】  図５において、隔壁板８０は、ドレンパン６０に送風機４０からの空気流に直交するように設置された第１隔壁板８０ａと、第１隔壁板８０ａの先端から第１空間Ａ側に水平に延びる第２隔壁板８０ｂと、第２隔壁板８０ｂの先端から上方に垂直に延びて室内機２０の天板に接合する第３隔壁板８０ｃとで構成されている。この隔壁板８０は、室内機２０内の空間を第１空間Ａと第２空間Ｂとに分離する板金によって形成されている。第２隔壁板８０ｂには、第１空間Ａ内の空気を第２空間Ｂ内に流出させる空気流出穴８２が設けられている。
【００３１】  本実施の形態２における目詰まり検知装置１５０は、第２空間Ｂ側から空気流出穴８２を開閉自在に閉塞する開閉扉７１と、空気流出穴８２を閉塞した開閉扉７１を介して形成される閉回路１５１を有し、開閉扉７１の空気流出穴８２の開放により閉回路１５１が遮断された際に、加湿モジュール５１の目詰まりを検知して報知する閉回路監視部とを備えている。
【００３２】  開閉扉７１は、第２隔壁板８０ｂの第２空間Ｂ側の面に設置されている。開閉扉７１の一端部には、第２隔壁板８０ｂに接合する磁石７２が設けられており、開閉扉７１の他端部は、第２隔壁板８０ｂに設けられたヒンジ部７１ａにより回動自在に支持されている。この開閉扉７１は、一端部に設けられた磁石７２の磁力により、第２隔壁板８０ｂに接合して空気流出穴８２を塞いでいる。なお、ヒンジ部７１ａを第３隔壁板８０ｃ側に設けているが、そのヒンジ部７１ａを反対側の位置に設けて開閉扉７１を回動自在に支持するようにしてもよい。
【００３３】  閉回路１５１は、図６に示すように、開閉扉７１と、一端が開閉扉７１の片面に接触し、他端が制御基板９０のコネクタ９０ｂに接続された第１リード線１５０ａと、一端がヒンジ部７１ａ側の第２隔壁板８０ｂに接続され、他端が制御基板９０のコネクタ９０ｃに接続された第２リード線１５０ｂと、コネクタ９０ｂ、９０ｃ間に接続された電源とによって形成されている。前述の閉回路監視部の機能は、例えばマイクロコンピュータ９０ａが備えている。
【００３４】  次に、前記のように構成された目詰まり検知装置１５０の動作について説明する。  送風機４０からの空気が加湿器５０を通過している間は、開閉扉７１は磁石７２の磁力により第２隔壁板８ｂに接合して空気流出穴８２を塞いでいる。加湿モジュール５１が経年劣化により、加湿モジュール５１が目詰まりとなった場合には、加湿モジュール５１の圧力損失Ｐｈ（Ｐａ）が増加し、この圧力損失Ｐｈ（Ｐａ）の増加に伴って室内機２０内の第１空間Ａの空気圧が第２空間Ｂの空気圧よりも高くなる。
【００３５】  室内機２０内の第１空間Ａの空気圧をＰ１（Ｐａ）とし、室内機２０内の第２空間Ｂの空気圧をＰ２（Ｐａ）とすると、Ｐ１＝Ｐ２−Ｐｈの関係となる。このため、目詰まり量が大きく（Ｐｈが大きく）なるほど第１空間Ａの空気圧Ｐ１は大きくなり、第１空間Ａと第２空間Ｂとの空気の差圧ΔＰ１２（＝Ｐ１−Ｐ２）が大きくなる。その差圧ΔＰ１２による第１空間Ａ側の空気圧の開閉扉７１を押す力が、開閉扉７１を隔壁板８０に接合している磁石７２の磁力よりも大きくなると、開閉扉７１は、ヒンジ部７１ａを支点として第２空間Ｂ側に開いて空気流出穴８２を開けて、第１空間Ａと第２空間Ｂとを連通し、空気圧の高い第１空間Ａ側の空気を第２空間Ｂ側へ流入させる。
【００３６】  一方、マイクロコンピュータ９０ａは、開閉扉７１の開放により閉回路１５１の遮断を検知する。この時、マイクロコンピュータ９０ａは、時間のカウントを開始し、カウントした時間が予め設定された一定時間を経過したかどうかを判定する。マイクロコンピュータ９０ａは、カウントした時間が一定時間を経過する前に、遮断された閉回路１５１が復帰したときには、カウントした時間をリセットして加湿による暖房運転を継続する。また、マイクロコンピュータ９０ａは、カウントした時間が一定時間を経過したときには、加湿モジュール５１が目詰まりを起こしていると判定して、リモートコントローラ１００に、加湿モジュール５１が目詰まりを起こした旨を知らせる信号を送信する。リモートコントローラ１００は、その信号が入力されたときに、音声あるいはブザーにて報知すると共に、表示部１００ａに加湿モジュール５１の目詰まりを表示する。
【００３７】  以上のように本実施の形態２によれば、開閉扉７１を介して形成される閉回路１５１が開閉扉７１の開放により遮断され、その遮断状態が一定時間継続されたときに加湿モジュール５１の目詰まりを検知して報知するようにしている。この構成により、加湿モジュール５１の目詰まりを知ることができるという効果に加えて、一時的な内圧上昇による目詰まりの誤検知を回避することができる。
【００３８】  また、開閉扉７１が空気流出穴８２を開放した際に、空気圧の高い第１空間Ａ側の空気が第２空間Ｂ側へ流入するので、室内機２０の第１空間Ａ側の空気圧の上昇を緩和することができる。このため、室内機２０の外観を構成する筐体の隙間から風漏れを抑えることができ、これに伴って風漏れによる結露の発生を防止することができる。
【００３９】  なお、実施の形態１の場合は、開閉扉７１を垂直かつヒンジ部７１ａを下方に設置する必要があるため、開閉扉７１の設置に制約がある。また、外風などによる一時的な内圧上昇については誤検知する可能性がある。一方、実施の形態２の場合は、開閉扉７１の設置姿勢の自由度は実施の形態１と比べて比較的大きく、開閉扉７１を水平設置した場合、開閉扉７１の開放状態を一定時間以上の継続したときに目詰まりと検知することで、前述による一時的な内圧上昇による誤検知を回避できる。  さらに、加湿モジュール５１の目詰まりを報知した後の解除方法として、実施の形態１では室内機２０内部へアクセスし、開閉扉７１を元に戻す必要あるが、実施の形態２の場合は、開閉扉７１の自重と重力とにより開閉扉７１が閉まるため、目詰まり検知の度に、室内機２０内部へアクセスする必要がない。
【００４０】  ところで、実施の形態１、２では、室内機２０の加湿器５０に使用する目詰まり検知装置７０、１５０としたが、その他、エアーフィルターや熱交換器などの目詰まり検知にも利用できることは、言うまでもない。
【符号の説明】
【００４１】  １０  室外機、２０  室内機、３０  室内熱交換器、３１  ガス管、３２  液管、３３  膨張弁、４０  送風機、４１  モーター、４２  ファンケーシング、４２ａ  送風口、４３  壁板、５０  加湿器、５１  加湿モジュール、５２  散水ヘッド、５３  電磁弁、５４  給水管、６０  ドレンパン、６１  排水口、７０  目詰まり検知装置、７１  開閉扉、７１ａ  ヒンジ部、７２  磁石、７３  リードスイッチ、８０  隔壁板、８０ａ  第１隔壁板、８０ｂ  第２隔壁板、８０ｃ  第３隔壁板、８１  開口部、８２  空気流出穴、９０  制御基板、９０ａ  マイクロコンピュータ、９０ｂ、９０ｃ  コネクタ、１００  リモートコントローラ、１００ａ  表示部、１５０  目詰まり検知装置、１５０ａ  第１リード線、１５０ｂ  第２リード線、１５１  閉回路、２００  空気調和機、Ａ  第１空間、Ｂ  第２空間。
【図１】
0006790109.tif 000002
【図２】
0006790109.tif 000003
【図３】
0006790109.tif 000004
【図４】
0006790109.tif 000005
【図５】
0006790109.tif 000006
【図６】
0006790109.tif 000007
【図７】
0006790109.tif 000008